(57)【要約】【課題】開閉扉を有する自立型の愛玩動物用侵入規制柵であって、扉が開閉するための開口部の変形を防止、あるいは吸収できる侵入規制柵の提供を目的とする。【解決手段】愛玩動物の侵入を規制するための侵入規制柵であって、侵入規制柵はパネル体を有し、パネル体は下桟と、当該下桟を残した状態で開閉する扉とを有し、前記侵入規制柵は下桟と設置面との間に所定の隙を形成するための接地部材を有し、前記パネル体は扉の開閉部に対応した下桟と設置面との間の隙を調整するための高さ調整可能な調整具を当該パネル体の下部に有することを特徴とする。【選択図】  図１
2013128447.tif 000002
【特許請求の範囲】
【請求項１】
愛玩動物の侵入を規制するための侵入規制柵であって、
侵入規制柵はパネル体を有し、
パネル体は下桟と、当該下桟を残した状態で開閉する扉とを有し、前記侵入規制柵は下桟と設置面との間に所定の隙を形成するための接地部材を有し、
前記パネル体は扉の開閉部に対応した下桟と設置面との間の隙を調整するための高さ調整可能な調整具を当該パネル体の下部に有することを特徴とする愛玩動物の侵入規制柵。
【請求項２】
前記パネル体と直交する方向に延在した支持部材を設けたことを特徴とする請求項１記載の愛玩動物の侵入規制柵。
【請求項３】
前記侵入規制柵はパネル体の側部に当該パネル体と交叉する方向に延出した側面パネルを有することを特徴とする請求項１又は２記載の愛玩動物の侵入規制柵。
【請求項４】
前記側面パネルは、パネル体に対して回動可能に延出していることを特徴とする請求項３記載の愛玩動物の侵入規制柵。
【請求項５】
前記調整具は、扉の位置に対応した下桟の下部に有することを特徴とする請求項１〜４のいずれかに記載の愛玩動物の侵入規制柵。
【請求項６】
前記扉は開放端部に開閉を規制するロック装置を有し、
前記ロック装置は係止部と被係止部との間隔が調整可能になっていることを特徴とする請求項１〜５のいずれかに記載の愛玩動物の侵入規制柵。
【発明の詳細な説明】
【技術分野】
【０００１】
本発明は、愛玩動物が特定の場所に侵入するのを防止、規制するための、侵入規制柵に関する。
【背景技術】
【０００２】
動物を室内、建物内等にて飼育している場合に、キッチン，玄関，廊下，階段等、特定の場所に動物が侵入してくるのを阻止したい場合がある。
この場合に柱や壁等の間に柵やゲートを取り付けるものが公知であるが、取り付け場所に制限があり、取り付け，取り外し作業が大変であることから自立型の柵も提案されている（特許文献１，２）。
このような自立型の動物侵入規制柵は設置が容易で移動もしやすいが、さらに人の通行がしやすいように、あるいは動物を通行させたい場合に柵の一部に開閉自在の扉を設けることが考えられる。
例えば、その構造例を図９，１０に示す。
侵入規制柵の一部に開閉可能な扉１１６を設ける場合に下桟１００を横方向に配置し、この上に複数の縦桟１０１を立設し、上端を上桟１０２で連結するとともに、この縦桟１０１の一部を扉１１６に置き換えた構造が代表例である。
この場合に人が通行しやすいように上桟１０６の一部を取り除いた開口部を形成すると、図９に示すように下桟１００の中央部が上方に反る変形や逆に図１０に示すように下方に反る変形が生じやすくなる。
自立型の侵入規制柵の場合に設置面が水平でなかった場合に、柵の左右で歪みが生じやすく、これによる変形も生じやすい。
図９に示した場合は上部の開口寸法Ｗ１が広がるので、扉のロック部Ａが係止できなくなり、図１０に示した場合は上部の開口寸法Ｗ２が狭くなり、扉のロック部Ｂが干渉し、扉そのものが閉まらなくなる。
このような不具合の対策方法として下桟１００の強度アップも考えられるが、下桟１００の上下方向の厚みを大きくすると、それだけ人の通行時に足を引っかける危険性が高くなる。
また、柵を設置する接地面の起伏や凹凸を吸収するために下桟１００の下部に高さの低い脚状の接地部材１００ａ，１００ｂを取り付けると、さらに下桟１００が上下方向に反りやすい問題も想定される。
【先行技術文献】
【特許文献】
【０００３】
【特許文献１】特開２００６−４２７９２号公報
【特許文献２】特開２００８−１１８９３４号公報
【発明の概要】
【発明が解決しようとする課題】
【０００４】
本発明は、開閉扉を有する愛玩動物用侵入規制柵であって、扉が開閉するための開口部の変形を防止、あるいは吸収できる侵入規制柵の提供を目的とする。
【課題を解決するための手段】
【０００５】
本発明に係る愛玩動物の侵入規制柵は、愛玩動物の侵入を規制するための侵入規制柵であって、侵入規制柵はパネル体を有し、パネル体は下桟と、当該下桟を残した状態で開閉する扉とを有し、前記侵入規制柵は下桟と設置面との間に所定の隙を形成するための接地部材を有し、前記パネル体は扉の開閉部に対応した下桟と設置面との間の隙を調整するための高さ調整可能な調整具を当該パネル体の下部に有することを特徴とする。
設置面は、必ずしも水平では無く、起伏や凹凸がある場合が多く、短い脚状の接地部材を所定箇所に複数に分けて設けるのが好ましい。
パネル体は１つの平面状でもよく、パネル体をコ字形状又はヘ字形状等に折り曲げた構造も含まれる。
例えば、パネル体の側部に当該パネル体と交叉する方向に延出した側面パネルを有してもよく、この側面パネルは、パネル体に対して回動可能に延出させてもよい。
パネル体に側面パネルを連結した場合には、パネル体と側面パネルのうち、いずれか一方又は両方に扉を設けることができる。
また、パネル体と直交する方向に延在した支持部材を設けてもよい。
本発明の下桟とは、パネル体の下端部を形成するための横方向のバー材をいう。
また、接地部材の取り付ける位置は、下桟が設置面から所定の隙を形成した状態で侵入規制柵が設置できる部位であれば特に制限がない。
接地部材の高さは約５ｍｍ〜２０ｍｍ程度が好ましい。
接地部材はゴム等の滑りにくい材質あるいは、このようなキャップを取り付けたものが好ましい。
調整具は下桟の変形を抑えるとともに、製品のガタ付きを抑えるためのものであり、扉の位置に対応した下桟に直接取り付けても下桟以外のパネル体の部分に取り付けてもよい。
【０００６】
パネル体の側部に側面パネルを設けた場合は、側面パネルの回動角度を調整することで侵入を規制するための幅寸法を変更することができる。
従って、通路の幅等に対応して設置できる。
なお、パネル体そのものの幅寸法が可変できるように、複数のパネルをスライド式又は重ね代の調整可能に連結してもよい。
【０００７】
本発明は、扉の部分に対応した下桟が下がるように反る傾向が認められる場合には、調整具により下がるのを抑えることができる。
設置面が水平でない場合の調整に用いることもできる。
また、下桟の上下方向の変形により、扉の上部に位置する柵の開口部の開口寸法の変化を吸収するには、扉は開放端部に開閉を規制するロック装置を有し、
前記ロック装置は係止部と被係止部との間隔が調整可能になっているようにしてもよい。
【発明の効果】
【０００８】
本発明に係る愛玩動物の侵入規制柵は、パネル体を形成する下桟であって、扉が開閉する開口部の位置に対応して、下桟の下面と設置面との間の隙を調整するための高さ調整可能な調整具を設けたので、開口部の幅寸法の変形を抑えることができる。
また、侵入規制柵の設置面に起伏や凹凸がある場合にこの調整具を有することで、製品のガタ付きを抑えることができる。
【図面の簡単な説明】
【０００９】
【図１】パネル体の両側に側面パネルを有する侵入規制柵の例を示し、側面パネルを後方略９０°に折り曲げた状態の正面図を示す。（ａ）は扉が閉じた状態、（ｂ）は扉が開いた状態を示す。
【図２】侵入規制柵の側面パネルを後方略９０°に折り曲げた状態を示し、（ａ）は平面図、（ｂ）は側面図を示す。
【図３】侵入規制柵の側面パネルが幅方向に少し開き、扉が少し開いた状態を示す。
【図４】パネル体と両側の側面パネルを直線状にした状態を示す。（ａ）は平面図、（ｂ）は正面図を示す。
【図５】（ａ），（ｂ）はロック部の拡大図を示し、（ａ）は扉を取り付けた柵の開口部の寸法が大きくなった場合、（ｂ）はデッドボルト側を前に移動調整した状態を示す。（ｃ）は、調整具を取りつけた部分の拡大図を示す。
【図６】回動装置部分の拡大図を示し、（ａ）は側面パネルを少し持ち上げる前の状態、（ｂ）は側面パネルを少し持ち上げ歯車状のロック部を解除した状態、（ｃ）は側面パネルを折り曲げ、下に下げることで歯車部をかみ合せた状態を示す。
【図７】（ａ）は上部側の軸支部の拡大図、（ｂ）は下部側の軸支部の拡大図を示す。（ｃ）はサブロック部の拡大図を示す。
【図８】パネル体に対して、直交方向両側に支持部材を設けた例を示す。（ａ）は平面図、（ｂ）は正面図、（ｃ）は側面図を示す。
【図９】従来の柵構造例を示し、（ａ）は扉が開いた状態、（ｂ）は閉じた状態を示す。
【図１０】従来の柵構造例を示し、（ａ）は扉が開いた状態、（ｂ）は閉じた状態を示す。
【発明を実施するための形態】
【００１０】
本発明に係る愛玩動物の侵入規制柵の第１の実施例を図１〜７に示す。
本実施例は、パネル体の側部に回動可能な側面パネルを有し、自立可能になっている。
侵入規制柵１０は、パネル体を構成する下桟１１の上に縦桟１３ａ〜１３ｄを立設してある。
縦桟１３ａ，１３ｃの上端は上桟１５ａで連結し、縦桟１３ｂ，１３ｄの上端は上桟１５ｂで連結することで、図１（ｂ）に示すように人が通行できる開口部を形成し、この開口部に扉１６を開閉可能に取り付けてある。
下桟１１の両側端部付近には、この下桟１１と直交する方向で前方側のみに延在させた支持部材１４ａ，１４ｂを連結してある。
側面パネル２０は、回動装置２２により回動及びロック自在に連結されている。
パネル体（正面パネル）の下桟の両端部付近、支持部材１４ａ，１４ｂの先端付近及び側面パネル２０，２０の下桟２１ｄの開放側先端付近に、それぞれ接地部材１１ａ〜１１ｆを取り付けることで、下桟１１，２１ｄの下面と設置面ＧＬとの間に所定の隙ｄが形成されるようになっている。
なお、支持部材の部分で、あるいは支持部材と側面パネルの部分で接地した場合はパネル体の下部の接地部材が無くてもよい。
また、パネル体の下部に設けた接地部材は他の支持部材等に設けた接地部材より僅かだけ、高さを低くしてもよい。
扉１６が開閉するための開口部の下端中央部付近に、高さ調整可能な調整具１２を取り付けてある。
この部分の拡大図を図５（ｃ）に示す。
本実施例は、下桟１１の下面側にめねじ部１１ｇを形成し、おねじ部１２ｂを形成したボルト１２ａからなる調整具１２の例を示す。
なお、調整具１２は必ずしも下桟１１に直接的に取り付ける必要はなく、パネル体を構成する、例えば縦桟に取り付けてもよい。
これにより、下桟１１の中央部が下方に向けて反るのを防止する。
【００１１】
扉１６は、上枠１６ａと下枠１６ｄの両端部付近を左右の縦枠１６ｂ，１６ｃで連結した枠体の内側に線材１６ｅを複数本配置した例になっている。
扉１６の吊り元側は、上下の軸支部１９ａ，１９ｂにて回動自在になっていて、その拡大図を図７（ａ），（ｂ）に示す。
扉１６の開放端側は、上部のロック部１７と下部のサブロック部１８にて開閉可能及び閉じた状態をロックできるようになっている。
ロック部の拡大図を図５（ａ），（ｂ）に示す。
ロック部１７のロック装置は、扉１６側に取り付けた係止部１７ｂと上桟１５ｂ側に取り付けた被係止部１７ａとからなり、係止部１７ｂには突出方向に付勢されたデッドボルト１７ｅとロック爪受け部１１７ｄを有し、被係止部１７ａにはロック操作部１７ｃとロック爪１７ｄを有するとともに、デッドボルト１７ｅの受け部１１７ｅを有する。
また、係止部１７ｂは、水平方向に長い長孔１７ｆとビス１７ｇにより突出量が調整可能になっている。
なお、これとは逆に被係止部１７ａ側に突出量の調整手段を設けてもよい。
これにより、通行用開口部の上部寸法に変化が生じた場合にもロック部の係止調整が可能になる。
サブロック部１８の拡大図を図７（ｃ）に示す。
扉１６の下枠１６ｄの下面から下方に向けて付勢されたピン１８ｃを有し、下桟１１の上面側にピン受け凹部１８ｂを有するピン受け部材１８ａを取り付けた例になっている。
【００１２】
両側の側面パネル２０は、同じ構造を有した例になっているので、図２（ｂ）の側面図で説明する。
下桟２１ｄと上桟２１ａを左右の縦桟２１ｂ，２１ｃで連結した枠体の内側に複数本の線材２１ｅを配置した例になっている。
側面パネル２０とパネル体との間は、回動装置２２にて連結されていて、その拡大図を図６に示す。
側面パネル２０は、少しだけ上昇できるように上下で軸支されていて、側面パネル２０を少し持ち上げると軸部２２ｃに沿って上部歯合部材２２ａが下部歯合部材２２ｂから離れるように移動する。
これにより、相互の歯部２２ｄ，２２ｅのかみ合せが外れることで回動でき、側面パネルを下に降ろすと図６（ｃ）に示すように回動がロックされる。
このようにパネル体に対して側面パネルが回動するので、図３に示すように動物の侵入を規制する幅寸法Ｗを調整できる。
【００１３】
第２の実施例を図８に示す。
下桟１１の両側端部にこの下桟１１と直交する方向で両側に支持部材１１４ａ，２１４ａ，１１４ｂ，２１４ｂを延在させ自立可能にした例を示し、この実施例では側面パネルが無く、縦桟１１３ａと１１３ｃの間及び１１３ｂと１１３ｄの間に線材１１３ｅ，１１３ｆを配置した。
また、各支持部材の先端付近に接地部材１１１ａ〜１１１ｄを取り付け、扉１６の中央下端部に位置する下桟１１の下面に調整具１２が取り付けられている。
このように、侵入規制柵は、１つの平面状のパネル体を自立可能にしてもよい。
また、この第２の実施例で支持部材をパネル体の片側面のみに設けることで、支持部材の無い側を壁や階段等に持たせかけるようにして使用することもできる。
【符号の説明】
【００１４】
１０        侵入規制柵
１１        下桟
１１ａ      接地部材
１１ｂ      接地部材
１２        調整具
１３ａ      縦桟
１３ｂ      縦桟
１４ａ      支持部材
１４ｂ      支持部材
１５ａ      上桟
１５ｂ      上桟
１６        扉
１７        ロック部
１８        サブロック部
１９ａ      軸支部
１９ｂ      軸支部
２０        側面パネル
【図１】
2013128447.tif 000003
【図２】
2013128447.tif 000004
【図３】
2013128447.tif 000005
【図４】
2013128447.tif 000006
【図５】
2013128447.tif 000007
【図６】
2013128447.tif 000008
【図７】
2013128447.tif 000009
【図８】
2013128447.tif 000010
【図９】
2013128447.tif 000011
【図１０】
2013128447.tif 000012